(57)【要約】
【課題】獅子舞を模して意匠性豊かに形成した玩具に、興趣に富んだ動作等を付与するようにする。
【解決手段】お囃子音発生部３１と駆動源が内設された台座３の上方に、屈伸手段７を有する脚部１３Ａ，１３Ｂと揺動手段５を有する胴部１１から成る玩具本体１を立設し、さらにその上方に、揺動手段５に連絡する開閉機構６によって口が開閉する構造の獅子頭２を載設するとともに、その玩具本体１の周囲に胴幕４を備えて、お囃子のリズムにのって口をパクパク開閉しながら獅子舞を踊るように構成する。
【選択図】図３
0003101182.tif 000002
【実用新案登録請求の範囲】
【請求項１】
お囃子音発生部と駆動源が内設された台座の上方に、屈伸手段を有する脚部と揺動手段を有する胴部から成る玩具本体を立設し、さらに該玩具本体の上方に、口の開閉機構が付与された獅子頭を載設するとともに、その玩具本体の周囲を覆う胴幕を備え、お囃子のリズムにのって獅子舞を踊るように形成した玩具であって、前記した獅子頭の口の開閉機構を、獅子頭の本体から分離して設けられた下顎と、その下顎を上顎の下方に回動可能に取付けて成る回動軸と、下顎の後端から口の奥方へ延設された作動突部と、胴部の揺動手段に連絡するカムと、その上端と下端が前記作動突部と前記カムに固定された開閉作動棒とにより構成し、開閉作動棒の上下動に伴って、獅子頭の下顎が、回動軸を支点として開閉するようにしたことを特徴とする獅子舞を模した踊る玩具。
【請求項２】
上記した台座に押しボタンと光センサーを設け、駆動源の作動手段を手動または自動に選択可能としたことを特徴とする請求項１に記載の獅子舞を模した踊る玩具。
【請求項３】
上記したお囃子音発生部から発生する音量を、台座に取付けた音量調整盤によって調整可能としたことを特徴とする請求項１に記載の獅子舞を模した踊る玩具。
【請求項４】
上記した脚部の屈伸手段と胴部の揺動手段を、玩具本体と台座の内部に配置したモーターとギアとカムと各種軸を組み合わせて構成したことを特徴とする請求項１に記載の獅子舞を模した踊る玩具。
【考案の詳細な説明】
【技術分野】
【０００１】  本考案は、お囃子のリズムにのって、口をパクパク開閉させながら獅子舞を踊るように構成された玩具に関するものである。
【背景技術】
【０００２】  従来、人の動きを感知する感知手段や、揺動部材を揺動させる駆動手段を具備して、人の動きを感知して踊るように構成された玩具があり（例えば、特許文献１参照。）、また玩具の頭部を上下に揺動させる揺動機構と、舌部材を口から出没動作させる動作機構を設けた動物玩具もあった（例えば、特許文献２参照。）が、お囃子のリズムにのって、口をパクパク開閉させながら獅子舞を踊るように形成された玩具はなかった。
【特許文献１】特開平５−２６９２６０号公報
【特許文献２】特開２００３−２４６５４号公報
【考案の開示】
【考案が解決しようとする課題】
【０００３】  上記した両特許文献の発明の玩具は、単純な外観の玩具が、踊ったり舌を出没させたりする形態のものであって、その外観や動作に特段の新規性や意匠性が認められず、また各玩具の動作が、センサーの感知に基づいて開始されるようになっているので、例えばパーティ会場などの装飾品として使用される場合に、人々の動きにセンサーが頻繁に感知して、必要以上の頻度で作動してしまうという不具合もあった。【０００４】  そこで本考案は、獅子舞を模して形成した玩具に、お囃子のリズムにのって踊る機能や獅子頭の口の開閉機能を付与したり、駆動源の作動手段を手動または自動に選択可能としたり、お囃子音の音量を調整可能とすることにより、意匠性豊かな外観と、興趣に富んだ動作と、優れた操作性を有する玩具の提供を目的とするものである。
【課題を解決するための手段】
【０００５】  上記の目的を達成するために本考案では以下のような技術的手段を講ずるものである。
すなわち請求項１に記載の本考案は、お囃子音発生部と駆動源が内設された台座の上方に、屈伸手段を有する脚部と揺動手段を有する胴部から成る玩具本体を立設し、さらに該玩具本体の上方に、口の開閉機構が付与された獅子頭を載設するとともに、その玩具本体の周囲を覆う胴幕を備えた構造の玩具であって、前記した獅子頭の口の開閉機構を、獅子頭の本体から分離して設けられた下顎と、その下顎を上顎の下方に回動可能に取付けて成る回動軸と、下顎の後端から口の奥方へ延設された作動突部と、胴部の揺動手段に連絡するカムと、その上端と下端が前記作動突部と前記カムに固定された開閉作動棒とにより構成したものである。【０００６】  また請求項２に記載の本考案は、上記した台座に押しボタンと光センサーを設け、駆動源の作動手段を手動または自動に選択可能に構成したものである。【０００７】  さらに請求項３に記載の本考案は、お囃子音の音量を、音量調整盤によって調整可能に構成したものである。【０００８】  なおまた請求項４に記載の本考案は、上記した屈伸手段と揺動手段を、玩具本体と台座の内部に配置したモーターとギアとカムと各種軸を組み合わせて構成したものである。
【考案の効果】
【０００９】  本考案に成る玩具は、獅子舞を踊る人の形態を再現したような外観となっているので、非常に意匠性に優れており、且つお囃子のリズムにのって身をくねらせて踊る動作と口の開閉動作を併設したことにより、興趣に富んだ魅力的な玩具を提供することができるとともに、小さな子供から高齢者まで誰でも楽しむことができるという効果がある。したがって本考案は、正月の慶祝ムードをおおいに盛り上げることができるものである。また本考案では、駆動源の作動操作を、押しボタンによる手動操作と光センサーによる自動操作のいずれかに選択することができるので、この玩具の設置場所や鑑賞時間等に応じて、駆動源の作動タイミングを効率的または効果的に設定することができ、さらに使用する電気料金を節約することもできるという利点がある。なおまた本考案では、お囃子音の音量を自在に調節することができるので、その場の雰囲気や設置場所の広さに適合したお囃子音を流すことができるという特長がある。
【考案を実施するための最良の形態】
【００１０】  意匠性豊かな外観と、興趣に富んだ動作と、優れた操作性を有する玩具を提供するという本考案の目的を、獅子舞を模して形成した玩具に、踊る機能と口の開閉機構を付与し、且つ駆動源の作動手段の選択機能やお囃子音の音量の調整機能を付与した構造とすることによって実現した。
【実施例】
【００１１】  本考案の一実施例を図面に基いて詳細に説明するが、まず図１および図２を参照しながら、本考案に成る玩具の外観等について説明する。
四角形の台状に形成された台座３の上方に、図２に示す玩具本体１が胴幕４で覆われた形態で立設され、さらにその上方に、玩具本体１の胴部１１に固着された獅子頭２が載せられているが、この獅子頭２は、下顎２２のみが本体から分離して形成されていて、後述する開閉機構６によって口をパクパク開閉できるような構造となっている。また前記胴幕４は、一般的に用いられる獅子舞の胴幕とほぼ同様な模様および色彩が施されており、さらにプラスカート４２（図３および図４参照）によって四方に広げられているので、豊かなボリュームが付与された形態となっている。さらにまた胴幕４の下方には、足袋に草履を履かせた形状の装飾足４１が取付けられていて、胴幕４の揺れに伴って、獅子舞を踊る人の足が前後左右に揺れるように設けられている。なお台座３の正面側には、光センサーが人影などを感知して作動するためのセンサー孔３３Ａが開口されており、また台座３の上面には駆動源入力用の押しボタン３５が取付けられている。【００１２】  図２に示す玩具本体１は、頭部と上肢を有しない状態の人の身体に類似して形成されたもので、人の上半身に該当する胴部１１と、膝頭を境界として上下に分割して設けられた脚部１３Ａ，１３Ｂと、台座３の上面に固着されて下側脚部１３Ｂを支持して成る脚支持部１４と、上側脚部１３Ａと胴部１１との間に介在する胴受け１２とにより構成されたもので、その胴部１１には後述する揺動手段５が内蔵され、また脚部１３Ａ，１３Ｂにも、後述する屈伸手段７が付与されている。【００１３】  次に、図３を参照しながら、この玩具の内部構造について説明するが、本図においては、説明の都合上、主要構成材のみを配置して示し、配線や取付金具等の補助的構成材は省略してある。【００１４】  本考案は、台座３内の電池ボックス３４に収納された電池と、アダプタージャック孔３９（図５参照）を通して導通される電気を駆動源（以下、電源）としているのであるが、台座３には、以下に説明するような様々な構成材も適宜に配設されている。すなわち台座内の一隅には、テープまたは電子音を用いて演奏されるお囃子音発生部３１が、スピーカー３１Ａと共に配設され、またそのスピーカー３１Ａの上方には、その一部が側面外方に突出した円盤状の音量調整盤３２（図５参照）が取付けられていて、所望する音量のお囃子音を自在に発生可能となっている。さらに台座３の中央には、脚部の屈伸手段に利用されるモーター入りギアボックス７２と光センサー３３が配置されており、そのモーター入りギアボクッス７２の左右にはカム７３が連結されるとともに、そのカム７３の一端部と、脚部１３Ａ，１３Ｂ内を貫通する左右の脚軸７１の下端とが、支軸７４を介して連結されている。【００１５】  また胴部内に配置された揺動手段５は、モーター５１と、ゴムベルト５２と、ギアボックス５３と、そのギアボックス５３の下部から横方向に突設された左右のカム５４と、左右のカム５４を支持する胴受け１２と、左右のカム５４を胴受けに取付けるための取付軸５５とにより構成されており、図示のように、左右のカム５４が胴受け１２のアームに互い違いの傾斜状に取付けられているので、このカム５４が回転することにより、胴部１１が身をくねら���て揺動するような構造となっているのである。【００１６】  さらに脚部の屈伸手段７は、その上端を胴受け１２に固定され、且つその下端が台座の内部へ延伸された形状の脚軸７１と、前述した台座内のモーター入りギアボックス７２およびカム７３および支軸７４と、上側脚部１３Ａの上部において、脚軸７１と交差して取付けられた屈伸作動軸７５と、両脚部１３Ａ，１３Ｂの連結部位に取付けられた屈伸作動軸７６と、下側脚部１３Ｂと脚支持部１４の連結部位に取付けられた屈伸作動軸７７と、脚支持部の下部に取付けられた固定軸７８とにより構成されるとともに、前記脚軸７１の側面から見た形状が、膝を曲げた状態に類似した一部円弧状に形成されている。そして台座内のカム７３が回転して、脚軸７１が下方に引き下げられると、胴受け１２と台座３の間の距離が小さくなるので、脚部１３Ａ，１３Ｂが、各屈伸作動軸７５，７６，７７を支点として前方へ膝を曲げるように回動し、また脚軸７１が上方に引き上げられると、直立した状態に復帰するような構造となっているのである。【００１７】  次に、図３および図４を参照して、獅子頭２に付与された口の開閉機構６について説明する。獅子頭２においては、下顎２２のみを分離して形成し、その下顎２２を、本体側から膨出された取付基部２３に回動軸６４を用いて回動可能に取付けた形状となっており、またこの下顎２２の後部には、図４に示すように、やや幅狭板状の作動突部２２Ａが延設され、さらにその作動突部２２Ａには円形状の取付孔２４が開口されている。さらにまた前述した胴部１１のギアボックス５３に、揺動手段のカムとは別のカム６１が連結されており、剛性を有する針金状に設けた開閉作動棒６３を、前記作動突部２２Ａと前記カム６１の間に介装させた構成となっている。そしてこのカム６１の回転に伴って開閉作動棒６３が上下動し、さらに開閉作動棒６３の上下動に伴って、下顎２２が開閉するようになっているのである。この場合に、開閉作動棒６３が下方に引き下げられると、下顎２２が回動軸６４を支点として上方に回動し、開閉作動棒６３が上方に引き上げられると、下顎２２が回動軸６４を支点として下方に回動するものでる。【００１８】  このような構造の揺動手段５と屈伸手段７と口の開閉機構６が、獅子頭２および玩具本体１に付与されているので、電源が入力されると、お囃子のリズムにのって、口をパクパク開閉しながら獅子舞を踊るような形態となるのである。【００１９】  さらに図５および図６を参照して、電源の作動手段を選択可能とする切替え構造について説明する。前述したように台座３の前側上面に押しボタン３５が設けられているので、この押しボタン３５を押すと、電源が入力されて獅子舞を踊るようになっており、また台座３の正面にセンサー孔３３Ａが設けられているので、光センサー３３が人影などを感知すると、電源が自動的に入力されて約２５秒間に渡って獅子舞を踊るようになっている。したがって本考案では、電源を手動で作動させることも自動で作動させることもできるので、図５に示すように、所望する作動手段を選択する機能が、台座３の後部に設けられているのである。【００２０】  上述した作動手段の選択機能は、台座３の上面に開口孔を設けて取付けられた切替えボックス３８と、その上部を開口孔から突出させた形状の切替えスイッチ３６と、切替えボックス内のプラスとマイナスの端子３８Ａとにより構成されている。そして切替えスイッチ３６の脇に添設された表示板３７の案内に従って、切替えスイッチ３６を図の左方へ移動させると、図６（イ）に示すように、中央のプラス端子と左方のマイナス端子に切替えスイッチが接触して、電源を手動で作動させることができるようになっており、また切替えスイッチ３６を図の右方へ移動させると、図６（ハ）に示すように、中央のプラス端子と右方のマイナス端子に切替えスイッチが接触して、電源を自動で作動させることができるようになっており、さらに図６（ロ）に示すように、切替えスイッチ３６を中央に位置させると、切替えスイッチはプラス端子に接触するのみであるので、電源をＯＦＦ状態に設定することができるのである。なお切替えスイッチ３６の上面には、滑り止め用の凹凸が施されている。【００２１】  本考案の獅子舞を模した踊る玩具は、以上に詳述したように、獅子舞を踊る人の形態を再現した外観と、お囃子のリズ厶にのって口をパクパク開閉しながら踊る機能と、電源の作動手段の選択機能と、お囃子音の音量調整機能が付与されて成るものである。
【図面の簡単な説明】
【００２２】
【図１】本考案の獅子舞を模した踊る玩具の外観を示す斜視図である。
【図２】玩具本体を背面側から見た状態の斜視図である。
【図３】本考案の内部構造を示す要部断面図である。
【図４】獅子頭の口の開閉機構を示す要部断面図である。
【図５】台座の一部切欠斜視図である。
【図６】電源の切替え構造を示す断面図である。
【符号の説明】
【００２３】  １  玩具本体
２  獅子頭
３  台座
４  胴幕
５  胴部の揺動手段
６  口の開閉機構
７  脚部の屈伸手段
１１  胴部
１２  胴受け
１３Ａ，１３Ｂ  脚部
２１  上顎
２２  下顎
２２Ａ  作動突部
３１  お囃子音発生部
３２  音量調整盤
３３  光センサー
３５  押しボタン
５１  モーター
５３  ギア
５４，６１，７３  カム
６３  開閉作動棒
６４  回動軸
７２  モーター入りギアボックス
７５，７６，７７  屈伸作動軸
【図１】
0003101182.tif 000003
【図２】
0003101182.tif 000004
【図３】
0003101182.tif 000005
【図４】
0003101182.tif 000006
【図５】
0003101182.tif 000007
【図６】
0003101182.tif 000008